(57)【要約】【課題】異なる高さで部品を支持する２つの支持構造の各々を、共通のブラケット１つで実現できる電子機器を提供する。【解決手段】外装ケース２の内壁２０に、異なる高さで部品を支持する第１及び第２の支持構造４１，４２が設けられている。第１及び第２の支持構造４１，４２の各々は同一のブラケット３０を備え、ブラケット３０は、基部３１から段差をもって張り出して内壁２０に取り付けられる一対の脚部３２を有している。第１の支持構造４１では、ブラケット３０がその裏面側を内壁２０に向けて内壁２０に取り付けられ、第２の支持構造４２では、ブラケット３０がその表面側を内壁２０に向けて内壁２０に取り付けられている。【選択図】図５
2018025588.tif 000002
【特許請求の範囲】
【請求項１】
外装ケースの内壁に、異なる高さで部品を支持する第１及び第２の支持構造が設けられている電子機器であって、
前記第１及び第２の支持構造の各々は、前記内壁に取り付けられる同一のブラケットを備え、
前記ブラケットは、
略平坦な支持領域を表裏両面に有する基部と、
前記基部の対向する端部の各々から表面側に段差をもって張り出し、当該基部と異なる高さで前記内壁に取り付けられる一対の脚部と、
を有し、
前記第１の支持構造では、前記ブラケットが前記基部の裏面側を前記内壁に向けて当該内壁に取り付けられることにより、前記支持領域の前記表裏両面のいずれか一方で前記部品が支持され、
前記第２の支持構造では、前記ブラケットが前記基部の表面側を前記内壁に向けて当該内壁に取り付けられることにより、前記支持領域の前記表裏両面のいずれか他方で前記部品が支持されている電子機器。
【請求項２】
請求項１に記載の電子機器において、
前記ブラケットを前記基部に直交する方向から見た場合に、前記一対の脚部が、互いに非対称な位置に配置されている電子機器。
【請求項３】
請求項１又は請求項２に記載の電子機器において、
前記基部が、前記端部の間の側部に沿って延びる補強リブを有している電子機器。
【請求項４】
請求項３に記載の電子機器において、
前記補強リブが前記側部の片側にのみ形成されている電子機器。
【請求項５】
請求項１〜請求項４のいずれか一つに記載の電子機器において、
前記ブラケットは一体に設けられた金具からなり、
前記ブラケットの外周縁における厚み方向の両隅部が、バリの無い無バリ隅部と、バリの有る有バリ隅部とからなり、
前記有バリ隅部の一部に、バリの無い無バリ領域が設けられている電子機器。
【請求項６】
請求項１〜請求項５のいずれか一つに記載の電子機器において、
前記外装ケースの一面に複数の押しボタンが設けられ、
前記第１及び第２の支持構造によって支持される前記部品の各々は、前記押しボタンによって押圧されるスイッチであり、
前記第１及び第２の支持構造の各々に対応して、前記押しボタンが前記外装ケースに異なる高さに配置されている電子機器。
【発明の詳細な説明】
【技術分野】
【０００１】
本発明は、デジタルカメラ等の電子機器に関し、その中でも特に、外装ケースの内壁に、異なる高さで部品を支持する第１及び第２の支持構造が設けられている電子機器に関する。
【背景技術】
【０００２】
軽量化、コンパクト化が求められる電子機器では、小さな樹脂製の外装ケースに、多数の部品が密集した状態で収容されている場合が多い。そのため、そのような電子機器では、隣接する部品との接触を避けるため、様々な高さや配置で多数の部品が、外装ケースの内壁に設けられたボスにビス止めによって組み付けられている。
【０００３】
そのようなビス止め用のボスは、ネジ孔の深さよりも大きな高さが必要とされる。一方、ボスを高くすれば、強度確保のためにボスの外径を大きくする必要が生じ、設置スペースの関係上制約を受け易い。また、高さや外径の異なるボスが混在すると外装ケースの成形も困難になる。そのため、同一のビスを用いるボスの場合、外装ケースの内壁からの突出量や外径は、同じような寸法に設定されているのが一般的である。
【０００４】
それに対し、これらボスにブラケットを取り付けて、異なる高さで部品を支持する場合には、その高さに応じたブラケットを部品ごとに準備する必要があり、部品点数や部材コストの増加を招いていた。
【０００５】
本発明に関し、電子機器ではないが、同一のブラケットを用いて、壁面から異なる高さで空調制御装置を支持できるブラケットが開示されている（特許文献１）。
【０００６】
具体的には、そのブラケットは、空調制御装置の支持面を表面に有する本体と、その両端部を裏面側に折り曲げて形成された、断面Ｌ状の一対の台座部とを有している。空調制御装置を壁面に近接して取り付ける場合には、空調制御装置を支持したブラケットの台座部をそのまま壁面に取り付け、空調制御装置を壁面から離して取り付ける場合には、１つのブラケットを逆向きにしてその支持面を壁面に取り付け、そのブラケットの台座部に、空調制御装置を支持した別のブラケットの台座部を突き合わせるようにして取り付けている。
【先行技術文献】
【特許文献】
【０００７】
【特許文献１】特開平９−６４５６２号公報
【発明の概要】
【発明が解決しようとする課題】
【０００８】
特許文献１のブラケットの場合、共通化が図れるものの、壁面から離して取り付ける場合には２つのブラケットが必要なため、部材コストが高くなり、組み付け作業も複雑になる不利がある。また、台座部に、ねじ孔とねじ取付孔の双方を設ける必要がある点でも不利がある。
【０００９】
そこで本発明の目的は、異なる高さで部品を支持する２つの支持構造の各々を、共通のブラケット１つで実現できる電子機器を提供することにある。
【課題を解決するための手段】
【００１０】
本発明は、外装ケースの内壁に、異なる高さで部品を支持する第１及び第２の支持構造が設けられている電子機器に関する。
【００１１】
前記第１及び第２の支持構造の各々は、前記内壁に取り付けられる同一のブラケットを備えている。前記ブラケットは、略平坦な支持領域を表裏両面に有する基部と、前記基部の対向する端部の各々から表面側に段差をもって張り出し、当該基部と異なる高さで前記内壁に取り付けられる一対の脚部と、を有している。
【００１２】
そして、前記第１の支持構造では、前記ブラケットが前記基部の裏面側を前記内壁に向けて当該内壁に取り付けられることにより、前記支持領域の前記表裏両面のいずれか一方で前記部品が支持され、前記第２の支持構造では、前記ブラケットが前記基部の表面側を前記内壁に向けて当該内壁に取り付けられることにより、前記支持領域の前記表裏両面のいずれか他方で前記部品が支持されている。
【００１３】
すなわち、この電子機器によれば、異なる高さで部品を支持する第１及び第２の支持構造の各々が、同一のブラケットを引っ繰り返して表裏逆向きに取り付けることによって構成されている。従って、きわめて簡単な構成により、共通のブラケット１つで、異なる高さで部品を支持する２つの支持構造が実現でき、製造コストを抑制できる。
【００１４】
具体的には、前記ブラケットを前記基部に直交する方向から見た場合に、前記一対の脚部が、互いに非対称な位置に配置されているようにするとよい。
【００１５】
同じブラケットを表裏逆向きに取り付けるだけであると、取付ミスを起こし易いが、ブラケットの、内壁に取り付けられる両脚部を非対称な位置に配置すれば、適切な状態でしかブラケットを取り付けられないようにできる。その結果、取付ミスが防止され、ブラケットの取付作業が容易にできる。
【００１６】
更には、前記基部が、前記端部の間の側部に沿って延びる補強リブを有しているようにするのが好ましい。
【００１７】
そうすれば、補強リブによって基部の剛性が強化でき、部品を安定して支持できる。
【００１８】
この場合、前記補強リブが前記側部の片側にのみ形成されているようにするとよい。
【００１９】
そうすれば、ブラケットの表裏が一見して判断できるので、よりいっそう取付ミスの防止や取付作業の容易化が図れる。
【００２０】
前記ブラケットが一体に設けられた金具であり、前記ブラケットの外周縁における厚み方向の両隅部が、バリの無い無バリ隅部と、バリの有る有バリ隅部とからなる場合には、前記有バリ隅部の一部に、バリの無い無バリ領域を設けるのが好ましい。
【００２１】
すなわち、金具はプレス加工によって形成される場合が多いが、その場合、剪断加工の際に、ブラケットの外周縁を構成する剪断面の片隅にバリが発生する。外装ケースの内部には、電気配線等が密集した状態で配置されているのに対し、第１及び第２の各支持構造の各々で、ブラケットを表裏逆向きに配置すると、バリの有る有バリ隅部が内側に向くことは避けられない。その場合、有バリ隅部に部品が接触すると、その部品を傷つけるおそれがあるが、そのような部品と接触するおそれがある有バリ隅部の一部に、バリの無い無バリ領域を設けることで、バリによって部品が傷つけられるのを防止することができる。
【００２２】
更には、前記外装ケースの一面に複数の押しボタンが設けられている場合に、前記第１及び第２の支持構造によって支持される前記部品の各々を、前記押しボタンによって押圧されるスイッチとすることで、前記第１及び第２の支持構造の各々に対応して、前記押しボタンが前記外装ケースに異なる高さに配置されているようにするとよい。
【００２３】
同一の面に複数の押しボタンを配置しても、異なる高さに配置することで、押しボタンを区別して操作することができ、押しボタンの誤操作を抑制できる。押しボタンが強く押し付けられても、スイッチがブラケットで安定して支持されているので、スイッチを安定して作動させることができ、高度な信頼性を確保できる。
【発明の効果】
【００２４】
本発明の電子機器によれば、異なる高さで部品を支持する２つの支持構造の各々を、共通のブラケット１つで実現できるので、部品の共通化が図れるうえに製造コストも抑制できる。
【図面の簡単な説明】
【００２５】
【図１】本実施形態で開示する電子機器（サイクルレコーダ）を示す概略斜視図である。
【図２】サイクルレコーダを右側方から見た概略図である。
【図３】図２の矢印ＩＩＩ−ＩＩＩ線における横断面の概略図である。
【図４】上部ケースを裏向けてその内側を見た概略斜視図である。要部以外は簡略化して表してある。
【図５】第１及び第２の支持構造を示す概略斜視図である。
【図６】前方の左斜め上方から見た第１及び第２の各支持構造のブラケットを示す概略斜視図である。
【図７】ブラケットの外縁部の概略断面図である。
【図８】第１及び第２の各支持構造のブラケットに圧電スイッチが支持されている状態を示す概略斜視図である。
【図９】第１及び第２の各支持構造のブラケットに圧電スイッチ及びパッド部材が支持されている状態を示す概略斜視図である。
【図１０】第１の支持構造によって支持されている一方の押しボタンの部分の概略断面図である。
【発明を実施するための形態】
【００２６】
以下、本発明の実施形態を図面に基づいて詳細に説明する。ただし、以下の説明は、本質的に例示に過ぎず、本発明、その適用物あるいはその用途を制限するものではない。前後や左右、上下等の方向は、特に言及しない限り、各図に示す矢印に従うものとする。
【００２７】
図１に、本発明を適用した電子機器の一例として、自転車向けのアクションカメラ（単にサイクルレコーダ１ともいう）を示す。サイクルレコーダ１は、小型軽量のデジタルカメラ（撮像装置）であり、自転車のハンドル１００やフレーム等にマウント１０１を介して取り付けることにより、走行しながら動画を撮影し、録画や録音ができるようになっている。
【００２８】
撮影した画像や音声のデジタルデータは、一般に、規格化された形式で、サイクルレコーダ１にいったん記憶され、必要に応じて有線又は無線の通信によって出力される。有線又は無線の通信により、デジタルデータを撮影と同時に別体の記憶装置に出力するようにしてもよい。そうすることにより、撮影された画像や音声のデジタルデータは、パソコン等で自由に編集ができ、インターネットにアップロードしたり、モニターやテレビ等の表示装置で再生して楽しめるようになっている。
【００２９】
サイクルレコーダ１は、前後方向に延びた外装ケース２を有している。外装ケース２は、樹脂の射出成形品からなる上部ケース２ａ及び下部ケース２ｂを有し、これら２ａ，２ｂを上下に突き合わせて接合することにより、防水性を有する密閉構造が形成されている。図１では図示しないが、外装ケース２の外表面の一部は、別部材からなる樹脂製のカバー部材２ｃを被覆して構成されている。
【００３０】
外装ケース２の外観形状は、凹凸や曲面などを組み合わせることにより、機能的、意匠的にデザインが工夫されている。この実施形態のサイクルレコーダ１では、便宜上、略平坦な外装ケース２の上面の両サイドに、高さが一段下がる凹部３が形成された箱形の外観形状に簡略化している。外装ケース２の前端面には、透明のプロテクタで覆われたレンズ開口４が形成されており、撮影は、このレンズ開口４を通じて行われる。
【００３１】
外装ケース２の上面（上部ケース２ａの上面）には、走行中でも操作し易いように、複数の押しボタン７ａ，・・・，７ｂが設置されている。押しボタン７ａ，・・・，７ｂの具体例としては、例えば、サイクルレコーダ１を起動又は停止させる起動／停止ボタンや、撮影を開始又は終了させる撮影開始／停止ボタン、撮影を一時停止させる一時停止ボタン、撮影の様々なモードを選択するモードセレクトボタン、情報表示部（図示せず）の表示に連動して、記憶したデジタルデータの入出力処理や消去処理等を操作する操作ボタンなどが挙げられる。
【００３２】
このサイクルレコーダ１では、２つの押しボタン７ａ，７ａが、左右の幅方向に並んだ状態で上部ケース２ａの上面後部に設置されている（第１のボタン群７ａ，７ａ）。そして、上部ケース２ａの上面の右側の凹部３に、２つの押しボタン７ｂ，７ｂが、前後の長手方向に並んだ状態で設置されている（第２のボタン群７ｂ，７ｂ）。それにより、第２のボタン群７ｂ，７ｂは第１のボタン群７ａ，７ａに対して相対的に低く位置している。
【００３３】
これら押しボタン７ａ，・・・，７ｂは、激しい動きの中でも操作し易く、また、誤って過度な力で押し付けても破損し難いように、指先と同程度の大きさの押圧部７０を有する比較的大きな部品で構成されている。そして、同じ上部ケース２ａの上面に配置されていても、区別して操作し易い（換言すれば誤操作し難い）ように、第１のボタン群７ａ，７ａと第２のボタン群７ｂ，７ｂとは異なる高さに配置されている。
【００３４】
図２、図３に示すように、外装ケース２の内部には、撮像ユニット１０やメインユニット１１などが密集した状態で収容されている。撮像ユニット１０は、レンズやレンズを支持する円筒状のレンズホルダーなどで構成されており、レンズ開口４に隣接して外装ケース２の内部の前端部分に配置されている。図示しないが、マイクなどで構成された録音ユニットも外装ケース２の内部に配置されている。
【００３５】
メインユニット１１は、矩形板状のバッテリーを着脱可能に収容するバッテリーホルダや、サイクルレコーダ１を総合的に制御する制御基板など、多数の部品が、密集した状態で矩形のフレームに組み付けられることによって構成されている。撮像ユニット１０や録音ユニットは、柔軟なフレキシブルケーブル５１（詳細は後述）を介してメインユニット１１の制御基板と接続されている。
【００３６】
（第１及び第２の支持構造４１，４２）
上部ケース２ａの、第１及び第２のボタン群７ａ，７ａ，７ｂ，７ｂの各々が設置されている部位の内側には、第１及び第２の支持構造４１，４２が設けられている。これら第１及び第２の支持構造４１，４２により、第１及び第２のボタン群の各押しボタン７ａ，７ａ，７ｂ，７ｂによって押圧されるシート状の圧電スイッチ５０が支持されている（詳細は後述）。第１及び第２のボタン群７ａ，７ａ，７ｂ，７ｂの高低差に対応するように、第１及び第２の支持構造４１，４２は、高低差のある状態で設けられている。
【００３７】
図４に、上部ケース２ａを裏向けてその内側を見た図を示す。上部ケース２ａの内壁２０（上部ケース２ａの上面の裏側に相当）には、ビス止め用のボス２１や、位置決め用のピン２２などが複数カ所に立設されている。第１の支持構造４１が設けられる内壁２０の後部の略平坦な領域（第１支持構造形成領域２０ａ）には、第１のボタン群の各押しボタン７ａ，７ａの配置に合わせて２つのボタン開口２３，２３が形成されている。
【００３８】
第２の支持構造４２が設けられる内壁２０の右側部の略平坦な領域（第２支持構造形成領域２０ｂ）は、凹部３に形成されているため、内側に膨出している。それにより、第２支持構造形成領域２０ｂは、第１支持構造形成領域２０ａよりも内側に向かって高くなっている。第２支持構造形成領域２０ｂには、第２のボタン群の各押しボタン７ｂ，７ｂの配置に合わせて２つのボタン開口２３，２３が形成されている。内壁２０の各ボタン開口２３の周囲には、環状に突出した環状凸部２４が形成されている。
【００３９】
ビス止め用のボス２１の多くは、同一のビス２５が共用できるようになっている（共用ボス２１ａ）。これら共用ボス２１ａは、必要かつ十分な強度を確保するために、同程度の突出量（上部ケース２ａの内壁２０の大部分を占める略平坦な領域からの突出量）及び外径を有するように設計されている。
【００４０】
図５に示すように、第１及び第２の支持構造４１，４２の各々は、これら共用ボス２１ａに同一のブラケット３０をビス止めすることによって形成されている。すなわち、第１及び第２の支持構造４１，４２の各々は、共用ボス２１ａ、共通のブラケット３０、共通のビス２５によって構成されており、ブラケット３０を引っ繰り返して表裏逆向きに取り付けるだけで、異なる所定の高さで圧電スイッチ５０が支持できるようになっている。
【００４１】
図６に、前方の左斜め上方から上部ケース２ａを省略して見た、第１及び第２の支持構造４１，４２の各ブラケット３０を示す。本実施形態のブラケット３０は金属板をプレス加工して形成された金具からなり、一体に形成された基部３１や一対の脚部３２，３２などを有している。
【００４２】
基部３１は、一方が長い矩形板状の部分であり、その表裏の両面に略平坦な支持領域（表側の支持領域３１ａ及び裏側の支持領域３１ｂ）が形成されている。基部３１の中央部には、位置決め用の貫通孔３３が形成されている。基部３１の一方の端部（短辺）の片隅には、側方に向かって張り出す鍔部３４が形成されている。その鍔部３４に、貫通孔３３に向かって延びる、位置決め用の長孔３４ａが形成されている。
【００４３】
基部３１の側部（長辺）の片側には、側部から張り出した部分を表側に向かって断面Ｌ状に折り曲げることにより、側部に沿って延びる補強リブ３５が形成されている。この補強リブ３５によって基部３１の剛性が強化されており、押しボタン７ａ，・・・，７ｂを介して基部３１が厚み方向に強い力で押さえられてもほとんど変形しないように設計されている。
【００４４】
各脚部３２は、基部３１の各端部の各々から表面側に段差をもって張り出すように形成されている。詳しくは、各脚部３２は、基部３１の端部に連なって表面側に向かって断面Ｌ状に折り曲げられた屈曲部３２ａと、屈曲部３２ａに連なって基部３１から離れる方向に向かって断面Ｌ状に折り曲げられた張出部３２ｂとを有している。各張出部３２ｂは基部３１と略平行に延びており、各張出部３２ｂには、ビス２５が挿通されるビス孔３２ｃが形成されている。
【００４５】
これら一対の脚部３２，３２は、ブラケット３０を基部３１に直交する方向から見た場合に、互いに非対称な位置に配置されている。具体的には、一方の脚部３２は、基部３１の一方の端部の片隅に配置されており、他方の脚部３２は、基部３１の他方の端部の両隅部の中間に配置されている。
【００４６】
ブラケット３０は、金属板を剪断加工や打抜き加工した後、曲げ加工や成形加工を経て、このような形状に形成されている。詳しくは、ブラケット３０の型孔が形成されたダイに、金属板を、その表側を上にして載置し、パンチで金属板を打ち抜くことにより、基部３１、脚部３２、及び補強リブ３５を同一平面に展開した形状の板状ブラケットを形成する（剪断加工）。貫通孔３３、長孔３４ａ、ビス孔３２ｃは、剪断加工と同様に金属板を打ち抜くことによって形成される（抜き打ち加工）。
【００４７】
そうして得られた板状ブラケットを、凹型及び凸型からなる金型で挟んでプレスする。そうすることにより、板状ブラケットが折り曲げられて各脚部３２及び補強リブ３５が形成され、上述した所定の形状に加工されている（曲げ加工）。このようなプレス加工によって形成されたブラケット３０では、剪断加工の際に、ブラケット３０の外周縁３６を構成する剪断面にダレやバリが発生する。
【００４８】
具体的には、図７に示すように、ブラケット３０の基部３１の外周縁３６における厚み方向の両隅部に、バリの無い、断面円弧状の隅部（無バリ隅部３６ａ）と、バリの有る、断面が角張った隅部（有バリ隅部３６ｂ）とが形成される。このブラケット３０の場合、表側の隅部が無バリ隅部３６ａとなり、裏側の隅部が有バリ隅部３６ｂとなっている。
【００４９】
無バリ隅部３６ａは、滑らかであるため、部品が接触してもその部品を傷つけるおそれはほとんどないが、有バリ隅部３６ｂは、部品が接触するとその部品を容易に傷つけるおそれがある。このブラケット３０の場合、表側及び裏側の双方が使用され、部品が密集した外装ケース２の内部に配置されるため、有バリ隅部３６ｂによって部品（例えばフレキシブルケーブル５１）を傷つけるおそれがある。
【００５０】
そこで、このブラケット３０では、有バリ隅部３６ｂの一部に、バリの無い無バリ領域３７が設けられている（図６における第１の支持構造４１のブラケット３０の太線部分）。無バリ領域３７は、有バリ隅部３６ｂの該当部位を金型でプレスし、断面円弧状に押し潰すことによって形成されている（成形加工）。面取りなどの追加工により、無バリ領域３７を形成してもよい。
【００５１】
ブラケット３０は、第１の支持構造４１では、有バリ隅部３６ｂが有る、その裏面側を内壁２０に向けた状態で内壁２０に取り付けられており、第２の支持構造４２では、無バリ隅部３６ａが有る、その表面側を内壁２０に向けた状態で内壁２０に取り付けられている（第２の支持構造４２では、有バリ隅部３６ｂがケース内側に向いている）。
【００５２】
具体的には、図５に示したように、第１の支持構造４１では、裏面側を内壁２０に向けた状態のブラケット３０が、貫通孔３３及び長孔３４ａに位置決め用のピン２２が挿入されることにより、所定位置に位置決めされている。そうして、そのブラケット３０の各張出部３２ｂが、これらに対応して設けられた各共用ボス２１ａの突端に載置され、ビス孔３２ｃを通じてビス２５をこれら共用ボス２１ａに締結することにより、上部ケース２ａの内壁２０に取り付けられている。
【００５３】
従って、第１の支持構造４１では、ブラケット３０の脚部３２と基部３１との段差の分だけ、基部３１が、共用ボス２１ａの突端から下がって位置し、基部３１の裏側の支持領域３１ｂが、内壁２０の第１支持構造形成領域２０ａに近接した状態となっている。
【００５４】
同様に、第２の支持構造４２では、第１の支持構造４１とは逆に、表面側を内壁２０に向けた状態のブラケット３０が、貫通孔３３及び長孔３４ａに位置決め用のピン２２が挿入されることにより、所定位置に位置決めされている。そうして、そのブラケット３０の各張出部３２ｂが、これらに対応して設けられた各共用ボス２１ａの突端に載置され、ビス孔３２ｃを通じてビス２５をこれら共用ボス２１ａに締結することにより、上部ケース２ａの内壁２０に取り付けられている。
【００５５】
従って、第２の支持構造４２では、ブラケット３０の脚部３２と基部３１との段差の分だけ、基部３１が、共用ボス２１ａの突端から上がって位置し、第１支持構造形成領域２０ａよりも内側に向かって高くなっている第２支持構造形成領域２０ｂに、基部３１の表側の支持領域３１ａが近接した状態となっている。
【００５６】
第１及び第２の各支持構造４１，４２の各々では、同じブラケット３０が表裏逆向きに取り付けられるため、取付ミスを起こし易い。そこで、このサイクルレコーダ１では、ビス止めを行うブラケット３０の両脚部３２，３２を非対称な位置に配置し、向きが合致した適切な状態でしかビス止めできないようにしている。それにより、取付ミスが防止され、ブラケット３０の取付作業が容易にできるようになっている。
【００５７】
補強リブ３５も、基部３１の側部の片側にのみ形成されている。それによっても、ブラケット３０の表裏を一見して判断でき、よりいっそう取付ミスの防止や取付作業の容易化が図れるようになっている。
【００５８】
このように異なる高さに配置された第１の支持構造４１の裏側の支持領域３１ｂ及び第２の支持構造４２の表側の支持領域３１ａの各々により、圧電スイッチ５０が支持されている。
【００５９】
図８に、第１及び第２の各支持構造４１，４２の各ブラケット３０に圧電スイッチ５０が支持されている状態を示す。第１及び第２の各支持構造４１，４２によって支持される圧電スイッチ５０（第１及び第２の圧電スイッチ５０Ａ，５０Ｂ）は、共通の部品からなり、一対の円形薄膜状のスイッチ部５０ａと、これらスイッチ部５０ａを支持する帯板状の支持プレート５０ｂとを有している。支持プレート５０ｂは、基部３１と略同等の大きさに形成されている。
【００６０】
第１及び第２の圧電スイッチ５０Ａ，５０Ｂは、テープ状のフレキシブルケーブル５１によって接続されている。第２の圧電スイッチ５０Ｂは、第１の圧電スイッチ５０Ａと中継ケーブル５１ａで接続されており、第１の圧電スイッチ５０Ａとメインユニット１１の制御基板とが接続ケーブル５１ｂで接続されている。
【００６１】
第１の圧電スイッチ５０Ａと第２の圧電スイッチ５０Ｂの間、第１の圧電スイッチ５０Ａと制御基板との間には、高低差があるため、中継ケーブル５１ａ及び接続ケーブル５１ｂは、ブラケット３０の外縁部に接触するおそれがある。また、これらブラケット３０の近傍には、メインユニット１１が位置しているため、その周囲には、複数のフレキシブルケーブル５１や電気配線等が配設されている。
【００６２】
それに対し、第１及び第２の各支持構造４１，４２の各々では、ブラケット３０が表裏逆向きに配置されているため、有バリ隅部３６ｂがメインユニット１１の側に向くことは避けられない。そのため、上述したように、このブラケット３０では、メインユニット１１の周辺に配置されるフレキシブルケーブル５１に接触するおそれのある有バリ隅部３６ｂの一部に、バリの無い無バリ領域３７が設けられている（図５、図６参照）。それにより、フレキシブルケーブル５１等の電気配線がバリによって傷つけられるのを防止している。
【００６３】
図９に示すように、各圧電スイッチ５０の上側には、シリコンゴム等の弾性部材で形成されたパッド部材６０が取り付けられている。各パッド部材６０は、共通の部品からなり、押しボタン７ａ，・・・，７ｂを弾性支持するとともに、上部ケース２ａに開口するボタン開口２３をシールして防水性を確保するシール部材としても機能する。
【００６４】
各パッド部材６０には、２つのボタン支持部６１，６１が形成されている。各ボタン支持部６１は、有底円筒状の軸挿入部６１ａと、軸挿入部６１ａの外周から張り出して軸挿入部６１ａを支持するドーム形状のクッション部６１ｂとを有している。各クッション部６１ｂの周囲には、環状に突出したリングシール６２が形成されている。
【００６５】
図１０に、第１の支持構造４１によって支持されている一方の押しボタン７ａの概略断面図を示す。なお、第１の支持構造４１によって支持されている他方の押しボタン７ａや、第２の支持構造４２によって支持されている各押しボタン７ｂも、基本的な構造はこれとほぼ同様である。
【００６６】
押しボタン７ａは、押圧部７０の裏側中心から突出する押し軸部７１を有しており、この押し軸部７１が軸挿入部６１ａに挿入されることにより、ボタン支持部６１に弾性支持されている。押しボタン７ａは、外装ケース２に取り付けられたカバー部材２ｃによって抜け止めされていて、所定のストロークで押し込み可能になっている。
【００６７】
このような圧電スイッチ５０やパッド部材６０が取り付けられたブラケット３０が、上述したように上部ケース２ａの内壁２０に取り付けられることにより、環状凸部２４がパッド部材６０に圧着し、リングシール６２が内壁２０に圧着している。それにより、ボタン開口２３の周囲が密閉され、外装ケース２の内部の防水性が確保されている。
【００６８】
押し軸部７１は、弾性を有する軸挿入部６１ａを介してスイッチ部５０ａに接するため、過度な力で押しボタン７ａが押されても、スイッチ部５０ａが損傷するのを抑制できる。スイッチ部５０ａは、剛性が強化された基部３１によって支持されているので、過度な力で押しボタン７ａが押されても、捩れたり撓んだりすることがほとんどない。その結果、安定した状態で軸挿入部６１ａとスイッチ部５０ａとを接触させることができ、シール性も安定して確保できる。
【００６９】
更に、本実施形態のサイクルレコーダ１によれば、異なる高さで圧電スイッチ５０を支持する第１及び第２の支持構造４１，４２の各々が、共通のブラケット３０やビス２５で構成されている。そのうえ、第１及び第２の各支持構造形成領域２０ａ，２０ｂと、これらに対応する表裏の各支持持領域３１ａ，３１ｂとの間の間隔が一致するように、脚部３２の寸法は設定されている。その結果、異なる高さの第１及び第２の押しボタン７ａ，７ａ，７ｂ，７ｂ群の各々も、共通の圧電スイッチ５０やパッド部材６０で構成されている。従って、多数の部品の共通化が図れ、製造コストが抑制できる。
【００７０】
なお、本発明にかかる電子機器は、上述した実施形態に限定されず、それ以外の種々の構成も包含する。例えば、電子機器は、自転車向けのアクションカメラに限らない。スポーツ等の場面で身に付けて自動撮影ができるウエアラブルなアクションカメラであってもよい。
【００７１】
その他にも、いわゆるデジカメ等のデジタルカメラや、デジタルビデオカメラ、ドライブレコーダー、ＩＣレコーダーなど、軽量化、コンパクト化が求められる電子機器であれば、本発明は適用できる。
【００７２】
ブラケット３０は、樹脂成形品であってもよい。第１及び第２の支持構造４１，４２が支持する部品は、圧電スイッチ５０に限らない。第１や第２の支持構造４１，４２と同一の構造からなる第３や第４等の支持構造が設けられていてもよい。第１の支持構造４１の表側の支持領域３１ａや第２の支持構造４２の裏側の支持領域３１ｂで部品を支持してもよい。ブラケット３０の取り付けはビス２５に限らない。ボルトやネジ（要するに締結具）であってもよい。
【符号の説明】
【００７３】
１  サイクルレコーダ（電子機器の一例）
２  外装ケース
７ａ，７ｂ  押しボタン
２０  内壁
２１  ボス
２５  ビス
３０  ブラケット
３１  基部
３２  脚部
３５  補強リブ
４１  第１の支持構造
４２  第２の支持構造
５０  圧電スイッチ
５１  フレキシブルケーブル
６０  パッド部材
【図１】
2018025588.tif 000003
【図２】
2018025588.tif 000004
【図３】
2018025588.tif 000005
【図４】
2018025588.tif 000006
【図５】
2018025588.tif 000007
【図６】
2018025588.tif 000008
【図７】
2018025588.tif 000009
【図８】
2018025588.tif 000010
【図９】
2018025588.tif 000011
【図１０】
2018025588.tif 000012